(57)【特許請求の範囲】
【請求項１】
一定量の流体が充填される計量室の一端に流体の供給源に通じる入口ポートを、他端に流体の供給対象に通じる出口ポートを設け、上記計量室の内部には上記入口ポートを開閉する第１の弁体と、上記計量室の上記供給対象に通じる出口ポートを開閉する第２の弁体とを設けるとともに、上記両弁体を電磁コイルの電磁力とバネ力と流体の供給源からの流入圧により時間差をおいて開閉作動させることにより、上記入口ポートから計量室に一定量の流体を充填させ、または一定量の流体を計量室の出口ポートから上記供給対象に供給し、
上記バネのバネ力と流入圧により、上記第１の弁体が上記入口ポートを開き、かつ上記第２の弁体が上記出口ポートを閉じる方向に付勢し、上記電磁コイルの電磁力により、上記第１の弁体と第２の弁体とを上記バネのバネ力と流入圧に抗して上記出口ポートを開き、かつ上記入口ポートを閉じる方向に付勢するように設けたことを特徴とする流体の供給制御装置。
【請求項２】
上記第１の弁体と第２の弁体との時間差作動が、第１の弁体が閉じ作動した後に第２の弁体が開き作動し、第２の弁体が閉じ作動した後に第１の弁体が開き作動するものであることを特徴とする、請求項１に記載の流体の供給制御装置。
【請求項３】
上記第１の弁体と第２の弁体との時間差作動が、上記第１の弁体と第２の弁体とに作用する１つの電磁コイルの電磁力の強弱によって行われることを特徴とする、請求項１又は２に記載の流体の供給制御装置。
【請求項４】
上記第１の弁体と第２の弁体とに作用する電磁力の強弱を、第１の弁体と第２の弁体に対する距離に基づいて生じさせることを特徴とする、請求項３に記載の流体の供給制御装置。
【請求項５】
上記第１の弁体と第２の弁体とに作用する電磁力の強弱を、第１の弁体と第２の弁体の透磁率の大小に基づいて生じさせることを特徴とする、請求項３に記載の流体の供給制御装置。
【請求項６】
上記第１の弁体と第２の弁体との時間差作動が、上記第１の弁体と第２の弁体とに作用するバネ力の強弱によって行われることを特徴とする、請求項１又は２に記載の流体の供給制御装置。
【請求項７】
上記第１の弁体と第２の弁体との時間差作動を、上記第１の弁体と第２の弁体とに作用する１つの電磁コイルの電磁力の強弱によって行うことに代え、上記第１の弁体と第２の弁体を互いに異なる電磁コイルで吸引させることによって行うことを特徴とする、請求項１又は２に記載の流体の供給制御装置。
【請求項８】
燃料ガス缶の噴出口を開閉することによって釘の打撃機構を構成する打撃シリンダ内に打撃毎に一定量の燃料ガスを供給するガス燃焼式釘打機に、一定量の燃料ガスが充填される計量室を設け、該計量室の一端に上記燃料ガス缶に通じる入口ポートを、他端に上記打撃シリンダに通じる出口ポートを設けるとともに、上記計量室には上記入口ポートを開閉する第１の弁体と、上記計量室の上記供給対象に通じる出口ポートを開閉する第２の弁体とを設け、上記両弁体を電磁コイルの電磁力とバネ力とにより時間差をおいて開閉作動させることにより、上記入口ポートから計量室に一定量の流体を充填させ、一定量の流体を計量室の出口ポートから上記打撃シリンダに供給し、
上記バネのバネ力と流入圧により、上記第１の弁体が上記入口ポートを開き、かつ上記第２の弁体が上記出口ポートを閉じる方向に付勢し、上記電磁コイルの電磁力により、上記第１の弁体と第２の弁体とを上記バネのバネ力と流入圧に抗して上記出口ポートを開き、かつ上記入口ポートを閉じる方向に付勢するように設けたことを特徴とするガス燃焼式釘打機におけるガス燃料の供給制御装置。
【請求項９】
上記ガス燃料の供給制御装置が、請求項２〜７のいずれかに記載の供給制御装置であることを特徴とする、請求項８に記載のガス燃焼式釘打機におけるガス燃料の供給制御装置。
【発明の詳細な説明】
【技術分野】
【０００１】
本発明は流体の供給制御装置及びガス燃焼式釘打機におけるガス燃料の供給制御装置に関する。
【背景技術】
【０００２】
例えば、燃料ガスによって打撃機構を駆動させて釘を打ち出すガス燃焼式釘打機として特許文献1に示されるようなものが知られている。この方式の釘打機は、ガス燃料缶から一定量のガス燃料を打撃機構を構成する打撃シリンダに送った後、点火して燃焼させ、この燃焼圧により打撃シリンダ内の打撃ピストンを駆動して釘等のファスナーを打ち出すものであるが、１回の打撃時に打撃シリンダに送り込むガス燃料は一定量でなければならない。そのため、上記釘打機のガス燃料缶の噴射孔の近傍には計量室が設けられ、計量室で計量された後に電磁弁によって打撃シリンダ内に送られるようになっている。これは、特許文献２に示されるもののように、計量室の出入口、つまりガス燃料缶側の入口と打撃シリンダ側の出口の間に電磁弁を設けた構造で、電磁弁が入口側にあって入口を閉じているときは出口側が開き、出口側に移動して出口を閉じているときは入口側が開いている。したがって、電磁弁が出口を閉じているときは、入口から一定量の燃料ガスが計量室に充填され、電磁弁が入口を閉じたときは、出口が開き、計量室内の燃料ガスは打撃シリンダに送られる。
【０００３】
なお、一定の量の流体の供給を制御する場合は、他の流体を制御する制御弁も同様の定量送り機構に構成されていた。
【先行技術文献】
【特許文献】
【０００４】
【特許文献１】特許第２９５６００４号公報
【特許文献２】特許第３０６３９８３号公報
【発明の概要】
【発明が解決しようとする課題】
【０００５】
しかしながら、上述の一定量の送り機構は、構造自体は簡単であるものの、正確に計量して送るには構造上致命的な問題があった。なぜならば、電磁弁が出口を閉じているときは、確かに計量室には正確な量の流体が充填される。ところが、電磁弁が出口から入口に移動しているとき、電磁弁は出口を開くが、同時に入口はまだ閉じていない。つまり、出口と入口が開いているのである。このため、計量室内の流体は出口から出て行くが、同時に入口から新たに流体が計量室内に補充される。したがって、流体は定められた量よりもわずかに多く供給されてしまう。この誤差は電磁弁の移動速度にと流体の流速（圧力、粘性）に関係するもので、燃料ガスの環境温度によって気化圧力が変化するために流速が変化することに関係するが、電磁弁の移動速度は必ずしも一定ではない。したがって、ガス燃焼式釘打機では打ち込み力が不安定になるという問題があった。
【０００６】
本発明は上記問題点を解消し、常に正確な量の流体を供給することができる流体の供給制御装置を提供することをその課題とする。
【課題を解決するための手段】
【０００７】
前記課題を解決するため、請求項１に係る発明は、一定量の流体が充填される計量室の一端に流体の供給源に通じる入口ポートを、他端に流体の供給対象に通じる出口ポートを設け、上記計量室の内部には上記入口ポートを開閉する第１の弁体と、上記計量室の上記供給対象に通じる出口ポートを開閉する第２の弁体とを設けるとともに、上記両弁体を電磁コイルの電磁力とバネ力と流体の供給源からの流入圧により時間差をおいて開閉作動させることにより、上記入口ポートから計量室に一定量の流体を充填させ、または一定量の流体を計量室の出口ポートから上記供給対象に供給し、上記バネのバネ力と流入圧により、上記第１の弁体が上記入口ポートを開き、かつ上記第２の弁体が上記出口ポートを閉じる方向に付勢し、上記電磁コイルの電磁力により、上記第１の弁体と第２の弁体とを上記バネのバネ力と流入圧に抗して上記出口ポートを開き、かつ上記入口ポートを閉じる方向に付勢するように設けたことを特徴とする。
【０００８】
【０００９】
請求項２に係る発明は、請求項１において、上記第１の弁体と第２の弁体との時間差作動が、第１の弁体が閉じ作動した後に第２の弁体が開き作動し、第２の弁体が閉じ作動した後に第１の弁体が開き作動するものであることを特徴とする。
【００１０】
請求項３に係る発明は、請求項１又は２において、上記第１の弁体と第２の弁体との時間差作動が、上記第１の弁体と第２の弁体とに作用する１つの電磁コイルの電磁力の強弱によって行われることを特徴とする。
【００１１】
請求項４に係る発明は、請求項３において、上記第１の弁体と第２の弁体とに作用する電磁力の強弱を、第１の弁体と第２の弁体に対する距離に基づいて生じさせることを特徴とする。
【００１２】
請求項５に係る発明は、請求項３において、上記第１の弁体と第２の弁体とに作用する電磁力の強弱を、第１の弁体と第２の弁体の透磁率の大小に基づいて生じさせることを特徴とする。
【００１３】
請求項６に係る発明は、請求項１又は２において、上記第１の弁体と第２の弁体との時間差作動が、上記第１の弁体と第２の弁体とに作用するバネ力の強弱によって行われることを特徴とする。
【００１４】
請求項７に係る発明は、請求項１又は２において、上記第１の弁体と第２の弁体との時間差作動を、上記第１の弁体と第２の弁体とに作用する１つの電磁コイルの電磁力の強弱によって行うことに代え、上記第１の弁体と第２の弁体を互いに異なる電磁コイルで吸引させることによって行うことを特徴とする。
【００１５】
請求項８に係るガス燃焼式釘打機におけるガス燃料の供給制御装置は、燃料ガス缶の噴出口を開閉することによって釘の打撃機構を構成する打撃シリンダ内に打撃毎に一定量の燃料ガスを供給するガス燃焼式釘打機に、一定量の燃料ガスが充填される計量室を設け、該計量室の一端に上記燃料ガス缶に通じる入口ポートを、他端に上記打撃シリンダに通じる出口ポートを設けるとともに、上記計量室には上記入口ポートを開閉する第１の弁体と、上記計量室の上記供給対象に通じる出口ポートを開閉する第２の弁体とを設け、上記両弁体を電磁コイルの電磁力とバネ力とにより時間差をおいて開閉作動させることにより、上記入口ポートから計量室に一定量の流体を充填させ、一定量の流体を計量室の出口ポートから上記打撃シリンダに供給し、上記バネのバネ力と流入圧により、上記第１の弁体が上記入口ポートを開き、かつ上記第２の弁体が上記出口ポートを閉じる方向に付勢し、上記電磁コイルの電磁力により、上記第１の弁体と第２の弁体とを上記バネのバネ力と流入圧に抗して上記出口ポートを開き、かつ上記入口ポートを閉じる方向に付勢するように設けたことを特徴とする。
【００１６】
請求項９に係る発明は、請求項８において、上記ガス燃料の供給制御装置が、請求項２〜７のいずれかに記載の供給制御装置であることを特徴とする。
【発明の効果】
【００１７】
請求項１に係る発明は、流体の供給源に通じる入口ポートを開閉する第１の弁体と、流体の供給対象に通じる出口ポートを開閉する第２の弁体と、電磁コイルの電磁力とバネ力と流体の供給源からの流入圧により時間差をおいて開閉作動させる構成であるから、第１の弁体により入口ポートを閉じ作動させ、続いて、第２の弁体により出口ポートを開き作動させる時間差作動により、一定量の流体を計量室の出口ポートから上記供給対象に供給することができる。また、第２の弁体により出口ポートを閉じ作動させた後、第１の弁体により入口ポートを開き作動させる時間差作動により、入口ポートから計量室に一定量の流体を供給して充填させることができる。
【００１８】
また、上記バネのバネ力と流入圧により、上記第１の弁体が上記入口ポートを開き、かつ上記第２の弁体が上記出口ポートを閉じる方向に付勢し、上記電磁コイルの電磁力により、上記第１の弁体と第２の弁体とを上記バネのバネ力と流入圧に抗して上記出口ポートを開き、かつ上記入口ポートを閉じる方向に付勢するように設けたから、入口ポートを開き、出口ポートを閉じる作動をバネのバネ力と流入圧により行うことができ、また、出口ポートを開き、入口ポートを閉じる作動を電磁コイルの電磁力によって行うことができる。
【００１９】
請求項２に係る発明によれば、第１の弁体と第２の弁体との時間差作動が、第１の弁体が閉じ作動した後に第２の弁体が開き作動し、第２の弁体が閉じ作動した後に第１の弁体が開き作動するから、一定量の流体を計量室から供給対象に供給することができ、また、入口ポートから計量室に一定量の流体を供給充填させることができる。
【００２０】
請求項３に係る発明によれば、第１の弁体と第２の弁体との時間差作動が、上記第１の弁体と第２の弁体とに作用する１つの電磁コイルの電磁力の強弱によって行われるから、構造が簡単で、コストを低く抑えることができる。
【００２１】
請求項４又は５に係る発明によれば、第１の弁体と第２の弁体とに作用する電磁力の強弱を、第１の弁体と第２の弁体に対する距離又は第１の弁体と第２の弁体の透磁率の大小に基づいて生じさせるものであるから、第１の弁体と第２の弁体の時間差作動を最も低いコストで確実に実施することができる。
【００２２】
請求項６に係る発明によれば、第１の弁体と第２の弁体との時間差作動が、第１の弁体と第２の弁体とに作用するバネ力の強弱によって行われるから、第１の弁体と第２の弁体の時間差作動を低いコストで実施することができる。
【００２３】
請求項７に係る発明によれば、第１の弁体と第２の弁体を互いに異なる電磁コイルで吸引させることによって行うから、時間差作動を電気的に制御して確実に行うことができる。
【００２４】
請求項８に係る発明によれば、ガス燃焼式釘打機に、一定量の燃料ガスが充填される計量室を設け、該計量室の一端に上記燃料ガス缶に通じる入口ポートを、他端に上記打撃シリンダに通じる出口ポートを設けるとともに、上記計量室には上記入口ポートを開閉する第１の弁体と、上記計量室の上記供給対象に通じる出口ポートを開閉する第２の弁体とを設け、上記両弁体を電磁コイルの電磁力とバネ力とにより時間差をおいて開閉作動させることにより、上記入口ポートから計量室に一定量の流体を充填させ、一定量の流体を計量室の出口ポートから上記打撃シリンダに供給するので、打撃シリンダ内に常に定量の燃料ガスが供給され、釘の打ち込み不足などの不具合の発生を防止し、釘を常に安定して打ち込むことができる。
【００２５】
請求項９に係る発明によれば、ガス燃料の供給制御装置が、請求項２〜７のいずれかに記載の供給制御装置であるから、第１の弁体と第２の弁体との時間差作動によって、常に正確な量の流体をガス燃焼式釘打機に供給することができる。
【図面の簡単な説明】
【００２６】
【図１】（ａ）（ｂ）及び（ｃ）は、それぞれ本発明に係る流体の供給制御装置の一実施形態における待機時の縦断面図、作動途中の縦断面図及び供給作動後の縦断面図
【図２】（ａ）（ｂ）及び（ｃ）は、それぞれ電磁コイルに対する第１の弁体と第２の弁体の別の間隔保持形態による供給制御装置の待機時の縦断面図、作動途中の縦断面図及び供給作動後の縦断面図
【図３】（ａ）（ｂ）及び（ｃ）は、それぞれ電磁コイルに対する第１の弁体と第２の弁体のさらに他の間隔保持形態による供給制御装置の待機時の縦断面図、作動途中の縦断面図及び供給作動後の縦断面図
【図４】（ａ）（ｂ）及び（ｃ）は、それぞれ本発明の実施形態２における流体の供給制御装置の待機時の縦断面図、作動途中の縦断面図及び供給作動後の縦断面図
【図５】（ａ）（ｂ）及び（ｃ）は、それぞれ本発明の実施形態３における流体の供給制御装置の待機時の縦断面図、作動途中の縦断面図及び供給作動後の縦断面図
【図６】（ａ）（ｂ）及び（ｃ）は、それぞれ本発明の実施形態４における流体の供給制御装置の待機時の縦断面図、作動途中の縦断面図及び供給作動後の縦断面図
【図７】（ａ）（ｂ）及び（ｃ）は、それぞれ本発明の実施形態５における流体の供給制御装置の待機時の縦断面図、作動途中の縦断面図及び供給作動後の縦断面図
【図８】（ａ）（ｂ）及び（ｃ）は、それぞれ本発明の実施形態６における流体の供給制御装置の待機時の縦断面図、作動途中の縦断面図及び供給作動後の縦断面図
【図９】流体の供給制御装置をガス燃焼式釘打機に応用した場合の概要を示す縦断面図
【図１０】ガス缶が装着されていない状態での起動を防止するための動作タイミングチャート図
【発明を実施するための形態】
【００２７】
（実施形態１）
図１（ａ）は本発明の一実施形態に係る流体の供給制御装置の概要を示す縦断面図である。流体としては液体が好適である。
【００２８】
流体の供給制御装置は、流体供給源Ａとその供給対象Ｂとの間の通路に設けられている。装置本体１は、中空に形成された電磁コイル収納部１ａと、その上端開口部を塞ぐ金属製の弁座ブロック１ｂとにより構成されている。上記収納部１ａの内部には電磁コイル２が収納され、電磁コイル２の上部には磁性体３が配置されている。装置本体１の中空部の下部にはコア５が設けられ、コア５の内部には入口ポート６が形成されている。装置本体１の上部中央には出口ポート７が形成されている。そして、入口ポート６と出口ポート７との間には円筒状の計量室８が形成され、この計量室８には入口ポート６を開閉する第１の弁体１０と、上記計量室８の出口ポート７を開閉する第２の弁体１１とがそれぞれ上下方向に摺動自在に設けられている。入口ポート６には常時流体供給源からの流入圧が加えられている。なお、４ａは第１の弁座、４ｂは第２の弁座である。
【００２９】
第１の弁体１０と第２の弁体１１は鉄製（軟磁性体）で、ともに電磁コイル２が励磁されたときの電磁力によって下方に移動するように付勢されている。第１の弁体１０の上端中央部にはシール部１２が形成され、入口ポート６の開口端が塞がれるようになっている。また、第２の弁体１１の上端には環状の間隔保持部１３ａが形成されている。第２の弁体１１の上端の中央部にはシール部１４が、さらに外方には張出し部１５が形成されている。弁座ブロック１ｂの第２の弁体１１の上部に対応する位置には環状の凹部１６が形成され、凹部１６には別の付勢手段としてバネ１７が配置されている。バネ１７の上端は第２の弁体１１の上端張出し部１５に係合し、これにより第２の弁体１１は常時上死点位置にあるように付勢されている。
【００３０】
要するに、バネ１７のバネ力と流体の流入圧により、第１の弁体１０が入口ポート６を開き、かつ第２の弁体１１が出口ポート７を閉じる方向に付勢されている。また、電磁コイル２の電磁力により、第１の弁体１０と第２の弁体１１とをバネ７のバネ力と流入圧に抗して出口ポート７を開き、かつ入口ポート６を閉じる方向に付勢されている。
【００３１】
なお、バネ１７の力は電磁コイル２の磁力よりも小さい設定になっている。
【００３２】
計量室８の、第１の弁体１０と第２の弁体１１とを除いた空間の内部には、一定量の流体が充填されるように設けられている。なお、計量室８は凹部１６まで続いている。第１の弁体１０と第２の弁体１１の外径は計量室８の内径よりも小さく、隙間１８が形成されているので、流体は入口から出口に自由に通過することができる。
【００３３】
ところで、第１の弁体１０と第２の弁体１１は、電磁コイルの電磁力とバネ力と流体の供給源からの流入圧により時間差をおいて開閉作動するようになっている。そして、この時間差作動は、第１の弁体１０が閉じ作動した後に第２の弁体１１が開き作動し、第２の弁体１１が閉じ作動した後に第１の弁体１０が開き作動するようになっている。すなわち、第１の弁体１０と第２の弁体１１とは、互いに共通の電磁コイル２からの距離が異なっている。すなわち、第１の弁体１０はコア５に近い位置に配置され、第２の弁体１１はコア５から遠い位置に配置されている。しかも、第２の弁体１１はバネ１７によって上方に付勢されている。このため、第１の弁体１０に作用する電磁コイル２の磁力作用は、第２の弁体１１に作用する電磁コイル２の磁力作用よりも強い。したがって、電磁コイル２に通電すると、磁力作用が強く働く第１の弁体１０がまず閉じ作動し、続いて第２の弁体１１が開き作動する。また、電磁コイル２に対する電流を遮断すると、バネ１７バネ力と流体の流入圧により第２の弁体１１が閉じ作動した後に第１の弁体１０が開き作動する。
【００３４】
なお、第２の弁体１１の下端には、非磁性体からなる環状の間隔保持部１３ａが形成され、第１の弁体１０と第２の弁体１１との間に空間が設けられるので、第１の弁体１０の方が第２の弁体１１よりも電磁コイル２により近くなるように配置されている。
【００３５】
上記構成によれば、待機状態においては、図１（ａ）に示されるように、第１の弁体１０が入口ポートを開き、第２の弁体１１が出口ポート７を閉じている。したがって、流体供給源Ａからの流体は入口ポート６から計量室８内に一定の圧力で送られ、出口ポート７は閉じているので、その一定量が計量室８内に充填される。
【００３６】
流体を供給対象Ｂに供給するときは、電磁コイル２に電流を供給する。これにより、電磁コイル２が励磁されるので、その電磁力により、同図（ｂ）に示されるように、第１の弁体１０がまず下方に閉じ作動し、続いて同図（ｃ）のように第２の弁体１１がバネ１７のバネ力に抗して下方に開き作動する。第１の弁体１０が下方に閉じ作動すると、入口ポート６をシールし、計量室８内に流体が供給されるのを停止する。続いて第２の弁体１１がバネ力に抗して下方に開き作動すると、第２の弁体１１は第１の弁体１０の上端に重合し、計量室８内の流体は縦溝１８を通って上部に移動し、さらに出口ポート７から気化して全部送り出される。このように、第２の弁体１１が開き作動しているとき、第１の弁体１０は閉じているので、計量室８内には供給源Ａから流体が流れ込むことはない。したがって、計量室８内に充填された流体は正確に一定量が全て供給対象Ｂに供給される。
【００３７】
次に、電磁コイル２に対して電流の供給を遮断すると、図１（ａ）のように、第２の弁体１１はバネ１７により閉じ作動して出口ポート７をシールする。続いて第１の弁体１０が供給源Ａからの流入圧によって上方に移動するので、入口が開放され、流体が入口ポート６から計量室８内に供給され、その一定量が充填され、次の供給作動が準備される。
【００３８】
以上のように、第１の弁体１０と第２の弁体１１とに対する電磁コイル２の電磁力の強弱は、電磁コイル２に対する遠近（距離）に基づく。そのために、第１の弁体１０との間に空間を設けることにより、第２の弁体１１の方が第１の弁体１０よりも電磁コイル２に近くなるように配置されている。このように、第１の弁体１０と第２の弁体１１とは、電磁コイル２に対する距離が互いに異なるため、通電時には第１の弁体１０の方が第２の弁体１１よりも電磁コイル２の磁力作用を強く受ける。したがって、第１の弁体１０と第２の弁体１１とが時間差をおいて作動し、第１の弁体１０が先に閉じ作動して計量室８を密閉状態にした後に第２の弁体１１が開き作動するから、計量室８内の流体が排出されている間、計量室８内に流体が流れ込むことはない。このため、計量室８内の流体のみが供給対象Ｂに向けて全て排出される。これに対し、通電を遮断したときは、バネ１７の力により第２の弁体１１が先に閉じ作動した後に第１の弁体１０が開き作動するから、計量室８内には一定量の流体が充填されて待機状態となり、次の供給作動が準備される。
【００３９】
このように、第１の弁体１０と第２の弁体１１とを順次に開閉作動させることができる。これにより計量室８に一定量の流体を充填し、充填された流体のみを計量室８の出口ポート７から供給対象Ｂに供給するから、常に正確な量の流体を供給対象Ｂに供給することができる。
【００４０】
なお、電磁コイル２に対する距離に差を生じさせる間隔保持部は環状である構成に限定されない。たとえば、図２（ａ）に示されるように、第１の弁体１０と第２の弁体１１との間に間隔保持部として絶縁体からなる中間部材１３ｂを配置する構成であってもよい。この場合も、上記待機状態から電磁コイル２に通電すると、通電時には第１の弁体１０の方が第２の弁体１１よりも電磁コイル２の磁力作用を強く受けるから、第１の弁体１０と第２の弁体１１とが時間差をおいて作動する。このため、同図（ｂ）（ｃ）に示されるように、第１の弁体１０が先に閉じ作動した後に第２の弁体１１が開き作動するから、計量室８内の流体が排出されている間、計量室８内に流体が流れ込むことはなく、計量室８内の流体のみが全て排出される。通電を遮断したときは、同図（ａ）に示されるように、バネ１７の力により第２の弁体１１が先に閉じ作動した後に第１の弁体１０が開き作動するから、計量室８内には一定量の流体が充填されて待機状態となり、次の供給作動が準備される。
【００４１】
なお、図１（ａ）と同じ部材は同じ符号で示されている。図３以降も同様である。
【００４２】
ところで、電磁コイル２に対する第１の弁体１０と第２の弁体１１の距離の差は、図３（ａ）に示されるように、第１の弁体１０と第２の弁体１１との間に間隔保持部を介在させることに代え、第１の弁体１０の長さを第２の弁体１１の長さよりも大きくすることによって実現してもよい。
【００４３】
この場合も、待機状態から電磁コイル２に通電すると、通電時には第１の弁体１０の方が第２の弁体１１よりも電磁コイル２の磁力作用を強く受けるから、第１の弁体１０と第２の弁体１１とが時間差をおいて作動する。このため、同図（ｂ）（ｃ）に示されるように、第１の弁体１０が先に閉じ作動した後に第２の弁体１１が開き作動するから、計量室８内の流体が排出されている間、計量室８内に流体が流れ込むことはなく、計量室８内の流体のみが全て排出される。通電を遮断したときは、同図（ａ）に示されるように、バネ１７の力により第２の弁体１１が先に閉じ作動した後に第１の弁体１０が開き作動するから、計量室８内には一定量の流体が充填されて待機状態となり、次の供給作動が準備される。
【００４４】
（実施形態２）
次に、第１の弁体１０と第２の弁体１１とに対する電磁コイル２の磁力作用の強弱は、上述の形態だけでなく他の手段によっても実現することができる。
【００４５】
すなわち、第１の弁体１０と第２の弁体１１とに対する電磁コイル２の磁力作用の強弱を、第１の弁体１０と第２の弁体１１を互いに磁気特性、つまり第１の弁体１０と第２の弁体１１の材料として透磁率の異なる材料を使用し、透磁率の大小に基づいて生じさせてもよい。図４（ａ）において、第１の弁体１０は透磁率の大きい材料（例えばステンレス）から、また第２の弁体１１は透磁率の小さい材料（例えばステンレス）から構成されている。
【００４６】
上記構成によれば、流体を供給対象Ｂに供給するときは、電磁コイル２に電流を供給する。これにより、電磁コイル２が励磁され、透磁率の大きい第１の弁体１０が同図（ｂ）に示すように、まず下方に閉じ作動して入口をシールし、計量室８内に流体が供給されるのを停止する。続いて同図（ｃ）のように第２の弁体１１がバネ１７に抗して下方に開き作動すると、第２の弁体１１は第１の弁体１０の上端に重合し、計量室８内の流体は上部に移動し、出口ポート７から全部送り出される。このように、第２の弁体１１が開き作動しているとき、第１の弁体１０は閉じているので、計量室８内には供給源Ａから流体が流れ込むことはない。したがって、計量室８内に充填された流体は正確に一定量が全て供給対象Ｂに供給される。
【００４７】
次に、電磁コイル２に電流の供給を遮断すると、同図（ａ）のように、第２の弁体１１はバネ１７により閉じ作動して出口をシールする。続いて第１の弁体１０が供給源Ａからの流入圧とによって上方に移動するので、入口が開放され、流体供給源Ａからの流体が入口ポート６から計量室８内に供給され、その一定量が充填され、次の供給作動が準備される。
【００４８】
（実施形態３）
また、第１の弁体１０と第２の弁体１１の時間差作動は、第１の弁体１０と第２の弁体１１とに対する電磁コイル２の磁力作用の強弱によることに限定されない。例えば、第１の弁体１０と第２の弁体１１のバネ荷重の大小（バネ力の強弱）に基づいて生じさせる構成であってもよい。
【００４９】
例えば、図５（ａ）に示されるように、電磁コイル２を電源装置１９に接続し、電磁コイル２の上端にはそれぞれ磁性体である板状の第１の弁体１０と第２の弁体１１を上下方向に作動可能に配置する。第１の弁体１０と第２の弁体１１の一端は装置本体１に軸支され、他端はそれぞれ第１のバネ１７ａと第２のバネ１７ｂとによって上方に付勢されている。第１のバネ１７ａのバネ荷重の方が第２のバネ１７ｂのバネ荷重よりも小さくなるように設定されている。装置本体１の上部には出口ポート７、側部には入口ポート６が形成され、入口ポート６の入口は第１の弁体１０に、出口ポート７の出口は第２の弁体１１に向き合いに形成され、第１の弁体１０が上下に揺動することによって入口ポート６を開閉し、第２の弁体１１が上下に揺動することによって入口ポート６を開閉するように作動する。
【００５０】
上記構成によれば、流体を供給対象Ｂに供給するときは、電源装置１９にスイッチオンして電磁コイル２に通電すると、電磁コイル２が励磁され、同図（ｂ）のようにバネ荷重の小さい第１のバネ１７ａに抗して第１の弁体１０がまず下方に閉じ作動して入口をシールし、計量室８内に流体が供給されるのを停止する。続いて同図（ｃ）に示されるように、第２の弁体１１が第２のバネ１７ｂに抗して下方に開き作動するから、計量室８内の流体は上部に移動し、出口ポート７から全部送り出される。このように、第２の弁体１１が開き作動しているとき、第１の弁体１０は閉じているので、計量室８内には供給源Ａから流体が流れ込むことはない。したがって、計量室８内に充填された流体は正確に一定量が全て供給対象Ｂに供給される。
【００５１】
次に、電磁コイル２に電流の供給を遮断すると、同図（ａ）に示されるように、バネ荷重の大きい第２のバネ１７ｂにより第２の弁体１１が閉じ作動して出口をシールする。続いてバネ荷重の小さい第１のバネ１７ａにより第１の弁体１０が作動して入口が開放され、流体供給源Ａからの流体が入口ポート６から計量室８内に供給され、その一定量が充填され、次の供給作動が準備される。
【００５２】
（実施形態４）
さらに、第１の弁体１０と第２の弁体１１とを時間差をおいて作動させる手段として、上記第１の弁体１０と第２の弁体１１を互いに異なる電磁コイルで吸引させることによって行うようにしてもよい。
【００５３】
すなわち、図６（ａ）に示されるように、第１の電磁コイル２ａと第２の電磁コイル２ｂを電源装置１９に接続し、各電磁コイル２ａ、２ｂの上端にはそれぞれ磁性体である板状の第１の弁体１０と第２の弁体１１が上下方向に作動可能に配置されている。第１の弁体１０と第２の弁体１１の一端は装置本体１に軸支され、他端はそれぞれ第１のバネ１７ａと第２のバネ１７ｂとによって上方に付勢されている。装置本体１の上部には出口ポート７、側部には入口ポート６が形成され、入口ポート６の入口は第１の弁体１０に、出口ポート７の出口は第２の弁体１１に向き合いに形成され、第１の弁体１０が上下に揺動することによって入口ポート６を開閉し、第２の弁体１１が上下に揺動することによって出口ポート７を開閉するように作動する。
【００５４】
上記構成において、流体供給源Ａからの流体が入口ポート６から計量室８内に充填されている図６（ａ）の待機状態から、流体を供給対象Ｂに供給するときは、電磁コイル２ａに通電すると、第１の電磁コイル２ａが励磁され、その電磁吸引力により同図（ｂ）に示されるように、第１のバネ１７ａのバネ力に抗して第１の弁体１０がまず下方に閉じ作動して入口ポート６をシールし、計量室８内に流体が供給されるのを停止する。続いて同図（ｃ）に示されるように、電磁コイル２ｂに通電すると、第１の電磁コイル２ｂの電磁吸引力により、第２の弁体１１が第２のバネ１７ｂのバネ力に抗して下方に開き作動するから、計量室８内の流体は出口ポート７から全部送り出される。第２の弁体１１が開き作動しているとき、第１の弁体１０は閉じているので、計量室８内には供給源Ａから流体が流れ込むことはない。したがって、計量室８内に充填された流体は正確に一定量が全て供給対象Ｂに供給される。
【００５５】
次に、電磁コイル２ｂに対する電流の供給を遮断すると、第２のバネ１７ｂにより第２の弁体１１が閉じ作動して出口ポート７をシールする。続いて電磁コイル２ａに対する電流の供給を遮断すると、第１のバネ１７ａにより第１の弁体１０が作動して入口が開放され、流体供給源Ａからの流体が入口ポート６から計量室８内に供給され、その一定量が充填され、次の供給作動が準備される。
【００５６】
（実施形態５）
実施形態６と同様に、第１の弁体１０と第２の弁体１１を互いに異なる電磁コイルで吸引させることによって第１の弁体１０と第２の弁体１１とを時間差をおいて作動させる場合、図７（ａ）（ｂ）のように構成してもよい。すなわち、図７（ａ）に示されるように、第１の電磁コイル２ａと第２の電磁コイル２ｂを電源装置１９に接続し、各電磁コイル２ａ、２ｂの上端にはそれぞれ磁性体である板状の第１の弁体１０と第２の弁体１１が上下方向に作動可能に配置されている。第１の弁体１０と第２の弁体１１の一端は装置本体１に軸支され、他端はそれぞれ第１のバネ１７ａと第２のバネ１７ｂとによって上方に付勢されている。第１のバネ１７ａと第２のバネ１７ｂのバネ荷重及び第１の電磁コイル２ａと第２の電磁コイル２ｂの電磁力はともに同じ設定となっている。装置本体１の上部には出口ポート７と入口ポート６とが形成され、第１の弁体１０が上下に揺動することによって入口ポート６を開閉し、第２の弁体１１が上下に揺動することによって出口ポート７を開閉するように作動する。
【００５７】
上記構成において、入口ポート６と出口ポート７とをシールした図７（ａ）の待機状態から、流体を供給対象Ｂに供給するときは、まず電磁コイル２ａにのみ通電し、その電磁吸引力により同図（ｂ）に示されるように、第１のバネ１７ａのバネ力に抗して第１の弁体１０を下方に開き作動して入口を開放し、計量室８内に流体を供給充填する。続いて、同図（ｃ）に示されるように、電磁コイル２ａに対する電流の供給を遮断し、電磁コイル２ｂに通電すると、その電磁吸引力により第２の弁体１１が第２のバネ１７ｂのバネ力に抗して下方に開き作動するから、計量室８内の流体は出口ポート７から全部送り出される。第２の弁体１１が開き作動しているとき、第１の弁体１０は閉じているので、計量室８内には供給源Ａから流体が流れ込むことはない。したがって、計量室８内に充填された流体は正確に一定量が全て供給対象Ｂに供給される。
【００５８】
次に、電磁コイル２ａ、２ｂに対する電流の供給を遮断すると、第１のバネ１７ａと第２のバネ１７ｂにより第１の弁体１０と第２の弁体１１が閉じ作動して入口と出口をシールし、次の供給作動が準備される。
【００５９】
上記構成によれば、第１の弁体１０と第２の弁体１１の時間差作動を、電気的タイミングのみによって行うことができるので、時間差作動を正確、確実に行うことができる。
【００６０】
（実施形態６）
なお、図８は、上述の流体の供給制御装置におけるバネ１７による付勢手段の位置を変えた実施形態を示すもので、上述の装置では、装置本体１の弁座ブロック１ｂには環状の凹部１６に形成され、凹部１６にバネ１７が配置されている。これに対し、図８の実施形態では、バネ１７はコア５の上端と第１の弁体１０の下面との間に配置されている。したがって、バネ１７により、第１の弁体１０と第２の弁体１１は常時上死点位置にあるように付勢されている。なお、その他の基本的構成は上述の実施形態とほとんど同じなので、共通の部材は同じ符号で示している。
【００６１】
上記構成によれば、待機状態においては、同図（ａ）に示されるように、入口ポート６から計量室８内に一定の圧力で送られた流体の圧力とバネ１７の圧力とにより、第１の弁体１０が入口ポート６を開き、第２の弁体１１が出口ポート７を閉じている。これにより、流体供給源Ａからの流体は入口ポート６から計量室８内に一定の圧力で送られ、その一定量が計量室８内に充填される。
【００６２】
流体を供給対象Ｂに供給するときは、電磁コイル２に電流を供給する。これにより、電磁コイル２が励磁されるので、その電磁力により、同図（ｂ）に示されるように、第１の弁体１０がバネ１７のバネ力に抗してまず下方に閉じ作動し、続いて同図（ｃ）のように第２の弁体１１が下方に開き作動する。第１の弁体１０が下方に閉じ作動すると、入口ポート６をシールし、計量室８内に流体が供給されるのを停止する。続いて第２の弁体１１がバネ力に抗して下方に開き作動すると、第２の弁体１１は中間部材１３ｂを介して第１の弁体１０の上端に重合し、計量室８内の流体は縦溝１８を通って上部に移動し、さらに出口ポート７から気化して供給対象Ｂに全部送り出される。このように、第２の弁体１１が開き作動しているとき、第１の弁体１０は閉じているので、計量室８内には供給源Ａから流体が流れ込むことはない。したがって、計量室８内に充填された流体は正確に一定量が全て供給対象Ｂに供給される。
【００６３】
次に、電磁コイル２に対して電流の供給を遮断すると、同図（ａ）のように、第１の弁体１０と第２の弁体１１はバネ１７により閉じ作動し、第２の弁体１１は出口ポート７をシールする。第１の弁体１０は供給源Ａからの流体圧力によって上方に移動するので、入口が開放され、流体供給源Ａからの流体が入口ポート６から計量室８内に供給され、その一定量が充填され、次の供給作動が準備される。
【００６４】
以上のように、基本的構成が近似しているので、図８の実施形態の場合も、図１、図２等の実施形態と同様の作用効果が得られるが、図８の場合、バネ１７はコア５の上端と第１の弁体１０の下面との間に配置されている。これに対し、図１、図２等の実施形態では第２の弁体１１の上部に環状の凹部１６が形成され、バネ１７はこの凹部１６の内部に配置されている。したがって、本実施形態によれば、凹部１６の分だけ装置本体１の高さを低くすることができ、全体をコンパクトにすることが可能となる。
【００６５】
（応用形態）
次に、上述の流体の供給制御装置を具体的に実施した形態を、ガス燃焼式釘打機について説明する。
【００６６】
図９は本発明に係る流体（燃料ガス）の供給制御装置を含むガス燃焼式釘打機の概要を示す縦断面図である。この釘打機は、ボディ２０の内部に打撃シリンダ２１が形成され、打撃シリンダ２１内には打撃ピストン２２が上下に摺動自在に収容され、打撃ピストン２２にはドライバ２３が一体的に結合されている。ボディ２０の下部には射出用ノーズ部２４が形成され、上記ドライバ２３はノーズ部２４内を摺動可能に設けられている。上記ノーズ２４部の後側にはマガジン２５が設けられ、マガジン２５の前端はノーズ部２４に開口し、マガジン２５からノーズ部２４内に装填された釘が順次供給されるようになっている。
【００６７】
また、打撃シリンダ２１の上部には燃焼室２６が開閉可能に形成され、燃焼室２６には燃料ガスが噴射され、噴射された燃料ガスは点火されて爆発するように構成されている。
【００６８】
すなわち、ボディ２０の後方に連設されたグリップ２７とマガジン２５との間にはガス缶収納部２８が設けられ、その内部には燃料ガスが充填されたガス缶２９が収納されている。ガス缶２９の先端ノズル３０は収納時にボディ２０内に配設された燃料管路の３１の一端と接続するようになっている。燃料管路３１の他端は燃焼室２６に開口されている。燃料管路３１の中途部には電磁弁装置３２が設けられている。また、燃焼室２６には点火プラグ３３が取り付けられ、点火プラグ３３はグリップ２７内に設けられた着火装置３４によって火花がスパークするように構成されている。
【００６９】
なお、着火装置３４と電磁弁装置３２はノーズ部２４の先端に設けられたコンタクトアーム３５が被打ち込み材に押し付けることによって作動可能となっている。
【００７０】
釘の打ち込みにあたっては、まずコンタクトアーム３５の下端を被打込み材に押しつける。これにより、閉鎖した燃焼室が形成され、電磁弁装置３２が作動してガス缶２９から一定量のガス燃料が供給され、燃料管路３１を通って噴射ノズルから可燃性ガスが噴射され、空気と混合される。
【００７１】
その後、トリガ３６を引き操作すると、着火装置３４により点火プラグ３３に接続する回路のスイッチがオンするので、燃焼室２６内の混合ガスに点火され、燃焼して爆発的に膨張する。この燃焼ガスの圧力が打撃ピストン２２の上面に作用して下方に衝撃的に駆動し、打撃ピストン２２がノーズ部２４内に供給されている釘を打撃し、被打ち込み材中に打ち込む。
【００７２】
トリガ３６の操作を解除し、ノーズ部２４を被打ち込み材から引き離すことにより、釘打機は待機状態に復帰し、燃焼室が開いて燃焼ガスは大気に放出されるとともに、電磁弁装置３２には一定量の燃料ガスが供給され、次の打撃が準備される。
【００７３】
ところで、上記電磁弁装置３２はガス缶２９内の燃料ガスを一定量だけ供給するように制御するものであるが、その内部機構は図１〜図８に示したもののうちいずれかによればよい。
【００７４】
すなわち、電磁弁装置３２には、上述のように、燃料ガス缶２９の噴出口を開閉することによって釘の打撃機構を構成する打撃シリンダ２１内に一打撃毎に一定量の流体が充填される計量室と、この計量室の入口ポートを開閉する第１の弁体と、計量室の出口ポートを開閉する第２の弁体とを設け、第１の弁体と第２の弁体とを電磁コイルの電磁力とバネ力とにより時間差をおいて開閉作動させることにより、入口ポートから計量室に一定量の流体を充填させ、この一定量の流体を計量室の出口ポートから上記打撃シリンダに供給するように構成すればよい。
【００７５】
そして、上記電磁弁装置３２の内部機構において、第１の弁体１０と第２の弁体１１の時間差作動は、図１〜図８に示す実施形態のうちいずれかの構成によればよい。
【００７６】
上記構成によれば、打撃シリンダ内に常に定量の燃料ガスが供給されるので、釘の打ち込み不足などの不具合の発生を防止し、釘を常に安定して打ち込むことができる。
【００７７】
ところで、図１〜図８の実施形態(図７の実施形態を除く)においては、待機状態で電磁弁装置の計量室８内に１回打撃分の燃料ガスが充填されているから、例えばこれらの電磁弁装置をガス燃焼式釘打機に装着すると、待機状態では計量室内に燃料ガスが充填されているから、たとえ使用後にガス缶を外していたとしても、コンタクトアームを押し付け、トリガを引くことにより、電磁弁装置に残っていた１回打撃分の燃料ガスが燃焼室に供給されて点火し、誤って釘が発射される可能性がある。
【００７８】
そこで、ガス燃焼式釘打機には、図１０に示されるように、ガス缶の有無を検知するセンサスイッチを設け、センサスイッチがオフ状態のときは、制御基板から燃焼室内のガスに対する点火を強制的に停止させるように構成するのが好ましい。同時にファンモータの駆動も停止するのがよい。
【００７９】
上記構成によれば、ガス缶が装着されているときは、センサスイッチがオンとなっている。このため、コンタクトアームを被打ち込み材に押し付けてファンスイッチがオンすると、ファンモータが駆動され、電磁弁装置の電磁弁が開いて燃焼室内に燃料ガスが供給され、ファンによって攪拌される。その後、トリガを引くことでイグナイタ放電により燃焼室内の混合ガスに点火し、釘打機が起動する。これに対し、ガス缶が装着されていないときは、センサスイッチがオフ状態となっているため、コンタクトアームを被打ち込み材に押し付けてファンスイッチがオンしても、ファンモータは駆動されず、またイグナイタ放電によるスパークも発生しないので、さらにトリガを引き操作したとしても、燃焼室内の混合ガスは燃焼せず、釘打機も起動しない。コンタクトアームを被打ち込み材から離すと、ファンスイッチがオフするとともに、燃焼室は開き、内部の混合ガスは大気に放出される。したがって、安全である。
【符号の説明】
【００８０】
Ａ  流体の供給源
Ｂ  供給対象
２  電磁コイル
７  出口ポート
８  計量室
１０  第１の弁体
１１  第２の弁体
１７  バネ
【図１】
0005370302.tif 000002
【図２】
0005370302.tif 000003
【図３】
0005370302.tif 000004
【図４】
0005370302.tif 000005
【図５】
0005370302.tif 000006
【図６】
0005370302.tif 000007
【図７】
0005370302.tif 000008
【図８】
0005370302.tif 000009
【図９】
0005370302.tif 000010
【図１０】
0005370302.tif 000011